(57)【特許請求の範囲】
【請求項１】
包装兼用塗布器具であって、
物質の入った容器を受け入れるためのコンパートメントと、
包装兼用塗布器具へ解放自在に固定されたアプリケータと、
アプリケータによって物質を取り出すための第１の開口部と、
第１の開口部と関連したシャッタと、
アプリケータによって、第１の開口部を開放及び／又は閉鎖するため、アプリケータによる変位で駆動される伝達部材とを有し、アプリケータは、伝達部材の浮彫り状態の相補形状部分と協働する、少なくとも１つの浮彫り状態の締結部分を有しており、
更に、容器を伝達部材に対して動かして差し込むように構成された、第１の開口部とは別個の第２の開口部を有する、ことを特徴とする包装兼用塗布器具。
【請求項２】
第１及び第２の開口部は、軸線（Ｘ）を有するケース内に設けられていることを特徴とする請求項１記載の器具。
【請求項３】
容器は、ケースの軸線（Ｘ）に沿って変位されることにより第２の開口部を通ってケース内に差し込まれることを特徴とする請求項２記載の器具。
【請求項４】
アプリケータは、伝達部材に固定された状態のままケースに対して自由に回転できることを特徴とする請求項２記載の器具。
【請求項５】
シャッタは、前記ケースに対して自由に回転でき、伝達部材は、ケースに対するアプリケータの回転運動を伝達してケースに対するシャッタの回転運動を生じさせるようにするのに適していることを特徴とする請求項４記載の器具。
【請求項６】
伝達部材（１５０）は、シャッタ（１９０）を有していることを特徴とする請求項１記載の器具。
【請求項７】
シャッタ（１９０）は、プラスチック材料の成形により伝達部材（１５０）と一体に形成されていることを特徴とする請求項６記載の器具。
【請求項８】
容器（４０）は、シャッタ（４３）を有していることを特徴とする請求項１記載の器具。
【請求項９】
容器（４０）は、プラスチック材料の成形によりシャッタ（４３）と一体に形成されていることを特徴とする請求項８記載の器具。
【請求項１０】
容器は、特にスナップ留めにより伝達部材に固定できるような形状になっていることを特徴とする請求項１記載の器具。
【請求項１１】
伝達部材とアプリケータは、一緒に回転するよう互いに結合されるのに適しており、伝達部材は、アプリケータを伝達部材と一緒に回転するよう結合した後、前記アプリケータが伝達部材に対して回転するのを阻止するような形状になっていることを特徴とする請求項１記載の器具。
【請求項１２】
器具は、円周方向に延びる少なくとも１つの浮彫り状態の部分、具体的には肩を備えたケースを有し、前記伝達部材は、ケースに対する伝達部材の少なくとも一方向における軸方向変位を阻止しながら、伝達部材がケースに対して回転することができるよう前記浮彫り状態部分と協働するのに適した少なくとも１つの要素（７３）を有していることを特徴とする請求項１記載の器具。
【請求項１３】
伝達部材は、少なくとも１つのスロット（７０）、特に、各々が器具の軸線（Ｘ）に平行な少なくとも１つの実質的に直線状の部分を有する２つの対向した縁部（７０ａ）を備えるスロットを有し、アプリケータの浮彫り状態の一部、特にスタッド（８１）が、前記スロットに嵌入可能であることを特徴とする請求項１記載の器具。
【請求項１４】
伝達部材は、２つの直径方向反対側に位置したスロット（７０）、好ましくは４つのスロット（７０）を有し、アプリケータは、前記スロットと嵌合するのに適した浮彫り状態の少なくとも２つの部分、特に、２つのスタッド（８１）、好ましくは４つのスタッドを有していることを特徴とする請求項１３記載の器具。
【請求項１５】
器具は、ケースを有し、伝達部材は、ケース内に軸方向に挿入されることによりケース内の定位置に配置され、スロットは、これら相互間に舌部（７２）を構成し、舌部は、ケース内への伝達部材の完全挿入の終わりにケース（２０）にスナップ留めされるのに適していることを特徴とする請求項１３記載の器具。
【請求項１６】
器具は、ケースを有し、ケースは、少なくとも１つの内側ねじ部（８０）を有し、アプリケータは、前記ケースに対するアプリケータの軸方向の変位に伴って、ケースに対するアプリケータの回転が生じるように前記ねじ部と協働するのに適していることを特徴とする請求項１記載の器具。
【請求項１７】
ねじ部は、４本の互いに平行なねじ山から成ることを特徴とする請求項１６記載の器具。
【請求項１８】
スタッドは、ねじ部と協働するのに適していることを特徴とする請求項１３又は１６記載の器具。
【請求項１９】
伝達部材は少なくとも、第１の固定要素（６４）を有し、容器は少なくとも、容器を定位置に配置すると、第１の固定要素と協働するのに適した第２の固定要素（６１；１６１）を一端部に有していることを特徴とする請求項１記載の器具。
【請求項２０】
第２の固定要素は、少なくとも１つの固定タブ（６１；１６１）を有し、容器は好ましくは、容器内の定位置への伝達部材の配置の終わりに、伝達部材へのスナップ留めに適した２つの固定タブ（６１；１６１）を有していることを特徴とする請求項１９記載の器具。
【請求項２１】
第１の固定要素は、固定タブの歯を受け入れるのに適した少なくとも１つの開口部（６４）を有していることを特徴とする請求項２０記載の器具。
【請求項２２】
容器は少なくとも、浮彫り状態の第１の位置決め部分（６９；１６９）を有し、伝達部材は少なくとも、伝達部材に対する所定位置への容器の位置決めを助けるよう第１の位置決め部分と協働するのに適した浮彫り状態の第２の位置決め部分（６６）を有し、浮彫り状態の第１及び第２の位置決め要素はそれぞれ好ましくは、少なくとも１つの傾斜面（６８）を有していることを特徴とする請求項１記載の器具。
【請求項２３】
容器及び伝達部材のうちの一方は、Ｖ字形溝を構成する要素（６９；１６９）を有し、容器及び伝達部材のうちの他方は、器具のケースの軸線（Ｘ）を含む平面内に位置していて、前記溝と実質的に相補する形状のプロフィールを備えた要素（６６）を有していることを特徴とする請求項１記載の器具。
【請求項２４】
器具は、ケースを有し、ケースは、その内面に少なくとも浮彫り状態の第１の部分、特に、ケース軸線に平行な２つの直径方向反対側のスプラインを有し、伝達部材は、伝達部材をケースに対して回転させると、前記前記浮彫り状態の第１の部分を乗り越えるのに適した少なくとも１つの浮彫り状態の第２の部分を有していることを特徴とする請求項１記載の器具。
【請求項２５】
前記浮彫り状態の第２の部分は、実質的にアプリケータをケースに固定する運動の終わりに、前記浮彫り状態の第１の部分を乗り越えることを特徴とする請求項２４記載の器具。
【請求項２６】
物質は、ケークの形態をしていることを特徴とする請求項１記載の器具。
【請求項２７】
アプリケータ（３０）は、物質を唇又は瞼、或いは睫毛又は眉毛に塗布できるよう構成されていることを特徴とする請求項１記載の器具。
【請求項２８】
シャッタは、少なくとも部分的に透明又は半透明である材料で作られていることを特徴とする請求項１記載の器具。
【請求項２９】
ケース及びアプリケータを有する物質の包装兼用塗布器具を組み立てる方法であって、ケースは、アプリケータにより物質を取り出すための開口部（２２）を有し、前記方法は、互いに固定されたケースとアプリケータを組立てステーションに運ぶ段階と、１回分の物質（Ｐ）をアプリケータにより物質が取り出されるようにする開口部とは異なるケースの開口部（２１ｂ）を介してケース内に挿入し、ケースとアプリケータは、１回分の物質がケース内に挿入されている間、互いに固定される段階とを有する、ことを特徴とする方法。
【請求項３０】
アプリケータは、前記アプリケータをケース内に保持できるよう少なくとも１つの浮彫り状態の対応部分と協働するのに適した少なくとも１つの浮彫り状態の締結部分を有し、物質は、前記少なくとも１つの浮彫り状態の対応部分に対して動くことによりケース内に挿入されることを特徴とする請求項２９記載の方法。
【請求項３１】
器具は、物質（Ｐ）を収容した容器（４０；１４０）を有し、前記容器は、ケース内に少なくとも部分的に受け入れられるのに適しており、ケースは、アプリケータ（３０）によって物質を取り出すことができるようにする少なくとも１つの側口部（２２）を有し、前記方法は、
ａ）互いに固定されたケース（２０）とアプリケータ（３０）を前記組立てステーションに運ぶ段階と、
ｂ）ケースとアプリケータを互いに固定している間、前記ステーションにおいて物質の入った容器をケース内に挿入し、この挿入は、ケースの軸線（Ｘ）に沿って行われることを特徴とする請求項２９記載の方法。
【請求項３２】
物質の入った容器（４０；１４０）は、ケースの軸線の回りにケースに対して自由に回転できることを特徴とする請求項２９記載の方法。
【請求項３３】
器具は、ケースに対するアプリケータの回転運動をケースに対する容器の回転運動に変換できるようにする運動伝達部材（５０；１５０）を有し、容器をケース内の定位置に配置しながら容器を前記伝達部材に固定することを特徴とする請求項２９記載の方法。
【請求項３４】
伝達部材は、前記浮彫り状態の少なくとも１つの対応部分を有していることを特徴とする請求項３３記載の方法。
【請求項３５】
少なくとも１種類の物質を塗布する器具であって、軸線を有すると共に少なくとも１つの側開口部を備えたケースと、ケースに解放自在に固定されるアプリケータと、少なくとも側開口部を介して物質を取り出すことができる位置と、側開口部を介する物質への接近を阻止する位置との間でケースに対して動くことができるシャッタと、ケースに対するアプリケータの運動を伝達してシャッタをケースに対して動かすための伝達部材とを有し、前記運動は、前記位置相互間で起こり、アプリケータは、伝達部材の浮彫り状態の相補形状部分と協働する、少なくとも１つの浮彫り状態の締結部分を有しており、
更に、物質を収容した容器を有し、容器は、伝達部材がすでにケース内の定位置に配置された状態で、ケースの軸線に沿ってケース内へ挿入されるのに適していることを特徴とする器具。
【請求項３６】
前記アプリケータは、ケースの多条ねじ部に嵌まり込むのに適した４本のスタッドを有していることを特徴とする、請求項３５に記載の器具。
【請求項３７】
前記運動伝達部材によって、アプリケータの回転運動がシャッタに伝達されることを特徴とする請求項３５記載の器具。
【請求項３８】
前記伝達部材は、外部に向かって末広がりになった開口部を備えていて、スタッドが嵌まり込むことができる４つのスロットを有していることを特徴とする請求項３６記載の器具。
【請求項３９】
スロットは、互いに平行な直線状部分を含む対向した縁部を備えていることを特徴とする請求項３８記載の器具。
【発明の詳細な説明】
【０００１】
【発明の属する技術分野】
本発明は、少なくとも１種類の物質を塗布する器具に関し、特に、軸線を有するケース、ケースから分離可能なアプリケータ及び物質を収容していて、ケース内に少なくとも部分的に受け入れられる容器を有し、ケースがアプリケータにより物質を取り出すことができるようにする少なくとも１つの側開口部を備えた器具に関する。
【０００２】
【従来の技術】
かかる器具は、欧州特許出願公開第ＥＰ−Ａ２−１１１８２８６号明細書から知られている。この欧州特許出願公開明細書は、塗布されるべき物質がカップ内に収容され、アプリケータをケースから分離したときに、カップをこれを受け入れるハウジング内の定位置に配置することができるようになった器具の例を記載している。
【０００３】
【発明が解決しようとする課題】
特に、上述した形式の器具の製造を容易にすることが要望されている。
【０００４】
【課題を解決するための手段】
本発明の特徴のうちの一つによれば、本発明は、包装兼用塗布器具であって、物質の入った器具を受け入れるコンパートメントと、包装兼用塗布器具への解放自在な固定に適したアプリケータにより物質が取り出されるようにする第１の開口部と、第１の開口部と関連していて、アプリケータによる変位に適した伝達部材を介してアプリケータによって開閉できるシャッタと、第１の開口部とは別個の第２の開口部とを有し、容器は、これを伝達部材に対して動かすことにより第２の開口部に差し込まれるよう設計されていることを特徴とする包装兼用塗布器具を提供する。
【０００５】
本発明の特徴によれば、第１及び第２の開口部は、軸線を有するケース内に設けられていることを特徴とする請求項１記載の器具。
本発明の別の特徴によれば、容器は、ケースの軸線に沿って変位されることにより第２の開口部を通ってケース内に差し込まれる。
本発明の別の特徴によれば、アプリケータは、伝達部材に固定された状態のままケースに対して自由に回転できる。
【０００６】
本発明の更に別の特徴によれば、シャッタは、ケースに対して自由に回転でき、伝達部材は、ケースに対するアプリケータの回転運動を伝達してケースに対するシャッタの回転運動を生じさせるようにするのに適している。
この場合、特に、伝達部材は、アプリケータが伝達部材を回転させることができるようアプリケータと協働するのに適しているのがよい。
【０００７】
本発明の特徴によれば、アプリケータは、伝達部材の浮彫り状態になった部分と相補形状をなして協働するのに適した浮彫り状態の少なくとも１つの締結部分を有している。
【０００８】
本発明の実施形態では、伝達部材は、シャッタを有している。かくして、シャッタは、容器の一体部分を形成する必要はない。シャッタをプラスチック材料の成形により伝達部材と一体に形成するのがよい。
【０００９】
容器を伝達部材のハウジング内に嵌め込むことができ、このハウジングは、物質を取り出すことができるようケースの側開口部と位置合わせできる開口部を備えている。かかる実施形態では、伝達部材は、ケースと実質的に同一長さのものであるのがよく、それにより伝達部材を取り扱いやすくする。
【００１０】
本発明の別の実施形態では、容器は、シャッタを有し、このシャッタは、必ずしも伝達部材の一体部分をなす必要はない。容器をプラスチック材料の成形によりシャッタと一体に形成することができ、シャッタは場合によっては、物質を受け入れるハウジングの少なくとも一部を構成するのにも役立つ壁で構成される。容器と伝達部材をケース内で端と端を突き合わせた状態に配置するのがよい。このように配置することにより、容器に、容器が伝達部材のハウジング内に受け入れられた場合の容積よりも大きな容積が与えることができる。
【００１１】
本発明の特徴によれば、容器は、特にスナップ留めにより伝達部材に固定できるような形状になっている。容器を例えば容器をケース内に挿入する動作の終わりに自動的に伝達部材に固定するのがよい。
【００１２】
本発明の特徴によれば、伝達部材とアプリケータは、一緒に回転するよう互いに結合されるのに適しており、伝達部材は、アプリケータを伝達部材と一緒に回転するよう結合した後、アプリケータが伝達部材に対して回転するのを阻止するような形状になっている。かかる配置は、欧州特許出願公開ＥＰ−Ａ２−１１１８２８６号の図２８の実施形態と比較した場合に有利であることが判明しており、この欧州特許出願公開明細書は、各々が全体としてＬ字形のスロットを備えた伝達部材を記載している。この公知の実施形態では、アプリケータは、スロットに嵌まることができるスタッドを有し、ケースは、スタッドと協働するねじ山を有している。スロットの底部に相当する“Ｌ”の下脚により、アプリケータと伝達部材を互いに組み合わせた後、アプリケータを伝達部材に対して回すことができる。かかる回転により、アプリケータのスタッドが望ましくない仕方でケースのねじ山を乗り越える場合がある。
【００１３】
ケースは、円周方向に延びる少なくとも１つの浮彫り状態の部分、具体的には肩を有するのがよく、伝達部材は、ケースに対する伝達部材の少なくとも一方向における軸方向変位を阻止しながら、伝達部材がケースに対して回転することができるよう浮彫り状態部分と協働するのに適した少なくとも１つの要素を有する。
【００１４】
伝達部材は、少なくとも１つのスロット、特に、各々が器具の軸線に平行な少なくとも１つの実質的に直線状の部分を有する２つの対向した縁部を備えるスロットを有するのがよく、アプリケータの浮彫り状態の一部、特にスタッドが、スロットに嵌入可能である。伝達部材は、２つの直径方向反対側に位置したスロット、好ましくは４つのスロットを有するのがよく、アプリケータは、スロットと嵌合するのに適した浮彫り状態の少なくとも２つの部分、特に、２つのスタッド、好ましくは４つのスタッドを有するのがよい。
【００１５】
スロットは、外方へ末広がりになった開口部を有するのがよく、これら開口部は、ユーザがアプリケータをケース内に戻しているときに当初アプリケータをケースに対して角度的に高精度で位置決めするよう留意する必要なくスタッドをスロットに容易に嵌めることができるような仕方で円周方向に互いに次々に位置している。器具は、ケースを有し、伝達部材は、ケース内に軸方向に挿入されることによりケース内の定位置に配置され、スロットは、これら相互間に舌部を構成し、舌部は、ケース内への伝達部材の完全挿入の終わりにケースにスナップ留めされるのに適している。
【００１６】
ケースは、内側ねじ部を有するのがよく、アプリケータは、アプリケータをケースに対して回すと、アプリケータがケースに対して軸方向に動くような仕方でかかるねじ部と協働するのに適している。ねじ部は、特にアプリケータが４つのスタッドを有している場合、４つの互いに平行なねじ山から成るのがよい。
【００１７】
伝達部材は少なくとも、第１の固定要素を有するのがよく、容器は場合によっては、容器の位置決めの際、第１の固定要素と協働して容器を伝達部差に固定するのに適した第２の固定要素を一端部に有する。第２の固定要素は、少なくとも１つの固定タブを有するのがよく、容器は好ましくは、容器内の定位置への伝達部材の配置の終わりに、伝達部材へのスナップ留めに適した２つの固定タブを有する。第１の固定要素は、固定タブの歯を受け入れるのに適した少なくとも１つの開口部を有するのがよい。
【００１８】
容器は少なくとも、浮彫り状態の第１の位置決め部分を有するのがよく、伝達部材は少なくとも、伝達部材に対する所定位置への容器の位置決めを助けるよう第１の位置決め部分と協働するのに適した浮彫り状態の第２の位置決め部分を有し、浮彫り状態の第１及び第２の位置決め要素はそれぞれ好ましくは、少なくとも１つの傾斜面を有する。例えば、容器及び伝達部材のうちの一方は、Ｖ字形溝を構成する要素を有し、容器及び伝達部材のうちの他方は、器具のケースの軸線を含む平面内に位置していて、溝と実質的に相補する形状のプロフィールを備えた要素を有する。
【００１９】
別の特徴では、本発明は、ケースを有し、ケースは、その内面に少なくとも浮彫り状態の第１の部分、特に、ケース軸線に平行な２つの直径方向反対側のスプラインを有するのがよく、伝達部材は、伝達部材をケースに対して回転させると、浮彫り状態の第１の部分を乗り越えるのに適した少なくとも１つの浮彫り状態の第２の部分を有する。浮彫り状態の第２の部分は、実質的にアプリケータをケースに固定する運動の終わりに、浮彫り状態の第１の部分を乗り越えるのがよく、第２の部分は、第１の部分を越えると、硬い箇所に当たった感触を生じさせるのがよく、これによりアプリケータが正しくケースに固定されたことをユーザに知らせる。
【００２０】
伝達部材又は容器は少なくとも、ケースに対する回転変位を例えば１回転の約１／４に制限するために第１の当接部、特に、ケースの少なくとも１つの当接部と協働するのに適した２つの直径方向を反対側の当接部を有するのがよい。
【００２１】
本発明の特定の実施形態では、物質は、ケークを形成するのがよい。
アプリケータは、物質を唇又は瞼、或いは睫毛又は眉毛に塗布できるよう構成されているのがよい。
包装兼用塗布器具は、少なくとも部分的に透明又は半透明である材料で作られたシャッタを有するのがよい。
【００２２】
別の特徴では、本発明は、ケース及びアプリケータを有する物質の包装兼用塗布器具を組み立てる方法であって、ケースは、アプリケータにより物質が取り出されるようにする開口部を有し、上記方法は、互いに固定されたケースとアプリケータを組立てステーションに運ぶ段階と、１回分の物質をアプリケータにより物質が取り出されるようにする開口部とは異なるケースの開口部を介してケース内に挿入する段階とを有し、ケースとアプリケータは、１回分の物質がケース内に挿入されている間、互いに固定されることを特徴とする方法を提供する。
【００２３】
本発明の器具の製造は、ケースとアプリケータを相互取付けのために組立てステーションに運ぶことができるので容易に実施でき、物質の入った容器を特にケースの軸線に沿ってケース内へ挿入する作業は、比較的自動化が容易な作業である。
【００２４】
容器は、物質を直接収容するのがよく、即ち、物質は、物質受入れハウジングを構成する容器の壁と接触した状態であるのがよい。変形例として、物質を、容器に装着されたカップ、例えばプラスチック材料又は金属製のカップに入れてもよい。
【００２５】
本発明の１つの特定の特徴では、物質の入った容器は、ケースの軸線回りにケースに対して自由に回転することができる。器具は、ケースに対するアプリケータの回転運動をケースに対する容器の回転運動に変換できるようにする運動伝達部材を有するのがよい。容器をケース内の定位置に配置している間、容器を伝達部材に固定するのがよい。
【００２６】
アプリケータは、アプリケータをケース内に保持できるよう少なくとも１つの浮彫り状態の対応部分と協働するのに適した少なくとも１つの浮彫り状態の締結部分を有するのがよく、物質は、少なくとも１つの浮彫り状態の対応部分に対して動くことによりケース内に挿入される。伝達部材は、上述した少なくとも１つの対応関係にある浮彫り状態の部分を有するのがよい。
【００２７】
上記器具は、物質を収容した容器を有するのがよく、容器は、ケース内に少なくとも部分的に受け入れられるのに適しており、ケースは、アプリケータによって物質を取り出すことができるようにする少なくとも１つの側口部を有する。
【００２８】
かかる状況において、上記組立て方法は、
ａ）互いに固定されたケースとアプリケータを組立てステーションに運ぶ段階と、
ｂ）ケースとアプリケータを互いに固定している間、ステーションにおいて物質の入った容器をケース内に挿入する段階とを有するのがよく、
上記挿入は、ケースの軸線に沿って行われる。
【００２９】
別の特徴では、本発明は、物質を塗布する器具であって、物質を取り出すことができるようにする開口部を備えたケースと、ケースに固定されると共にこれから分離されるのに適したアプリケータとを有し、アプリケータは、ケースの多条ねじ部に嵌まり込むのに適した４本のスタッドを有していることを特徴とする器具を提供する。
【００３０】
ケースは、アプリケータの回転運動を、開口部を介する物質への接近を阻止する位置をとることができるシャッタに伝達することができるインサート、特に運動伝達部材を有するのがよい。この伝達部材は、外部に向かって末広がりになった開口部を備えていて、スタッドが嵌まり込むことができる４つのスロットを有するのがよい。スロットは、互いに平行な直線状部分を含む対向した縁部を備えるのがよい。
【００３１】
別の特徴では、本発明は、少なくとも１種類の物質を塗布する器具であって、軸線を有すると共に少なくとも１つの側開口部を備えたケースと、ケースに解放自在に固定されるのに適したアプリケータと、少なくとも側開口部を介して物質を取り出すことができるようにする位置と、側開口部を介する物質への接近を阻止するようにする位置との間でケースに対して動くことができるシャッタと、ケースに対するアプリケータの運動を伝達してシャッタがケースに対して動くようにする伝達部材とを有し、運動は、位置相互間で起こり、器具は、物質を収容した容器を更に有し、容器は、伝達部材がすでにケース内の定位置に配置された状態で、ケースの軸線に沿ってケース内へ挿入されるのに適していることを特徴とする器具を提供する。
本発明の内容は、本願の一部を形成する添付の図面を参照して以下の詳細な説明を読むと一層よく理解されよう。
【００３２】
【発明の実施の形態】
特許請求の範囲を含む本明細書全体にわたり、「〜を有する又は〜から成る」という用語は、もし特段の指定がなければ「〜を少なくとも１つ含む」と同義であると理解されるべきである。
【００３３】
図１〜図４に示す塗布器具１０は、ケース２０及びアプリケータ３０を有し、このアプリケータを使用していないときにはケース２０に固定することができる。図示の例では、ケース２０は、長手方向軸線Ｘに沿って形状が細長く、このケースは、２つの反対側の端部２１ａ，２１ｂのところで開口した管状本体２１から成っている。本体２１は、例えば剛性で不透明の熱可塑性材料を射出成形することによって作られている。ケース２０は、側開口部２２を更に有し、この開口部は、図示の例では形状が実質的に矩形である。例を挙げて説明すると、開口部２２は、例えば寸法が０．５ｃｍ〜１．５ｃｍの短い側部及び寸法が例えば３ｃｍ〜５ｃｍの長い側部を有している。図示の例では、開口部２２は、例えば開口部２１ｂのそばに本体２１の半分に過ぎない部分を占める部分２０ａに設けられている。開口部２１ｂに隣接した開口部２２の縁部２２ａは、特に図１及び図２で理解できるように開口部２１ｂから例えば約０．５ｃｍの距離だけ間隔を置いて位置している。
【００３４】
アプリケータ３０は、非常に概略的に図示されており、一端に例えばブラシの形態をした任意種類の塗布要素３１を備えている。図示の例では、塗布要素３１は、一端が中間部分３３により取っ手３４に連結された剛性ロッド３２を有し、中間部分の機能については以下に説明する。中間部分３３は、図示の例ではそうであるようにケース２０の開口部２１ａを閉鎖する要素にもなることができる。
【００３５】
特に図３で理解できるように、物質Ｐの入った容器４０が、ケース２０内に受け入れられ、器具１０は、容器４０がケース２０に対して所定の位置にあるとき、側開口部２２を通って物質Ｐに接近することができるように構成されている。
【００３６】
例を挙げて説明すると、物質Ｐは、化粧品又は皮膚ケア製品である。「化粧品」という用語は、ＥＥＣ通達（Directive ）７６／７６８（１９９３年６月１４日のＥＥＣ会議通達９３／３５によって修正されている）で特定された意味で用いられている。
【００３７】
例を挙げると、物質Ｐは、押し固められた粉末の形態をしていてもよく、或いは容器内に配置されたカップ内へ流し込んで固化するようにしてもよい。物質Ｐは、四散して湿り気のある塗布要素と接触するのに適したものであるのがよい。物質Ｐは、これを収容したハウジングの壁にくっつくことができる。
【００３８】
図１〜図４に対応する実施形態では、容器４０は、物質Ｐに接近できるようにする容器４０の開口部４１が側開口部２２の後に位置決めされてユーザが物質Ｐを取り出すことができるようにする少なくとも１つの位置と、容器４０の開口部４１が角度的に、例えば側開口部２２から１回転の約１／４ずれていて、これから完全に分離され、したがってユーザが物質Ｐにもはや接近することができないようになっていて、この場合、容器４０の軸線Ｘの回りに円筒形の形状をしたシャッタ形成壁４３が、側開口部２２の後の位置を占める少なくとも１つの位置との間で軸線Ｘの回りにケース２０に対して自由に回転することができる。
【００３９】
図示の例では、壁４３は又、物質Ｐを収容するハウジングを構成している。壁４３の外径は、この壁がケースの部分２０ａの内側に比較的僅かなクリアランスで嵌まることができるように選択されており、この部分２０ａの内面２１ｃは、軸線Ｘを中心とする円筒形である。
【００４０】
物質を収容する容器４０のハウジングは、２つの仕切り４５，４６によって軸方向に構成されており、これら仕切りは、この実施形態の軸線Ｘに垂直に延びている。図３で分かるように、容器４０がケース２０の内部の定位置にあるとき、第３の仕切り４７が仕切り４６をケースの外部から分離している。この仕切り４７は、２つの直径方向反対側に位置した一体のブリッジ又は橋渡し部４８によって壁４３に連結されており、これらブリッジの各々には、以下に説明する目的で当接部４９が形成されている。
【００４１】
図示の実施形態では、物質への接近を断接できるのは、容器４０を回すことによってである。この回転運動は、アプリケータ３０を軸線Ｘの回りに回すことによって得られ、伝達部材５０により、アプリケータ３０を容器４０と一緒に回るよう結合することができる。
【００４２】
図示の実施形態では、伝達部材５０は、軸線Ｘを中心とする管状本体５１を有し、この本体は、図３で分かるように塗布要素３１をアプリケータ３０のロッド３２及び中間部分３３と一緒にこの本体内に嵌め込むことができるよう一端５０ａが開口している。
伝達部材５０のその端部５０ａから見て反対側の端部５０ｂは、容器４０を伝達部材５０に固定できるように形づくられている。
【００４３】
図示の実施形態では、容器４０は仕切り４７から見て遠くに位置したその端部のそばに２つの固定タブ６１を備え、これらタブは、実質的に直径方向反対側に位置した２つの場所で仕切り４５に繋がっており、各タブ６１は、伝達部材５０の凹部６４内に対応関係をなしてスナップ留めされるのに適したキャップ６２を備えている。伝達部材は、アプリケータ３０を受け入れるハウジングの端壁を構成する仕切り６６を有している。開口部５０ｂのほうに向いた仕切り６６の表面は、互いに対して角度をなす３角形の輪郭又は外形の２つの実質的に平らな反対側に位置した表面又はフェースを備える箇所を構成している。これらフェースは、２つの反対側に位置した凸状フェースで互いに連結されている。壁６９は、仕切り４５に連結されている。この壁６９は、仕切り６６の上述のフェースに接触する２つの表面又はフェース６８を有している。壁６９がその平面に垂直な方向に見えると、２つのフェース６８は、仕切り６６に嵌まるのに適したＶ字形の溝を構成する。容器４０と伝達部材５０を結合すると、仕切り６６と壁６９は協働してタブ６１が凹部６４内に適切にスナップ嵌合するようになり、容器はこの場合、伝達部材に対して所定の角度配向状態をなす。
【００４４】
伝達部材５０は、開口部５０ａの他に、４つのスロット７０を有し、各スロットは、軸線Ｘに実質的に平行な２つの直線状部分７０ａを備えた２つの対向した縁部を有している。これら４つのスロット７０は、軸線Ｘの回りに互いに９０°間隔で配置され、これらスロットの間には、各々それぞれの歯７３を備えた舌部７２が構成されている。
【００４５】
ケース２０は、開口部２１ａの他に、環状の肩７５を有し、舌部７２の歯７３は、伝達部材５０を端部２１を介してケース２０内に完全に挿入すると、肩７５に軸方向に当接するのに適している。
ケース２０は、開口部２１ａの他に、多数のねじ山で構成されたねじ部８０を有し、アプリケータ３０は、ねじ部８０と協働することができるように構成されている。
【００４６】
図示の実施形態では、中間部分３３は、軸線Ｘの回りに互いに９０°間隔で配置された４つのスタッド８１を有している。この実施形態では、これらスタッド８１は各々、軸線Ｘに垂直な軸線を中心とした形状が円筒形である。
【００４７】
各スタッド８１の直径は、実質的に、スロット７０の直線状部分７０ａ相互間の距離に一致しており、したがってスタッド８１が直線状部分７０ａ相互間にいったん嵌まると、アプリケータを伝達部材５０に対して回転させることができないようになっている。直線状部分７０ａは、図４で理解できるように箇所７０ｃを構成する外方に末広がりになった縁部７０ｂに繋がっており、かくしてスタッド８１をスロット７０に嵌入しやすくしている。この実施形態では、多条ねじ部は、互いに平行な４つのねじ山を有している。
【００４８】
各スタッド８１は、スロット７０を介して多条ねじ部８０のねじ山のうちの１つと協働するのに適していて、したがってアプリケータ３０をケース２０に対して回すと、アプリケータ３０がケース２０の内部で軸方向に動くようになっている。
【００４９】
特に図１及び図２で理解できるように、伝達部材５０は、軸線Ｘに平行なスプラインによって構成されていて、同様に軸線Ｘに平行なスプラインによって構成されたケースの浮彫り状態の部分８６の各側に位置できるのに適した浮彫り状態の２つの部分８５を有している。アプリケータ３０をケース２０に対して回して、伝達部材５０を回すと、スプライン８５のうちの１つが、スプライン８５を乗り越え、それにより硬い箇所に当たった感触が得られ、これに伴ってカチッという音が出る場合がある。
【００５０】
ケース２０は、開口部２１ｂの他に、容器及び伝達部材によって構成された組立体のケース内部での回転変位を制限するよう当接部４９と協働する２つの直径方向反対側に位置した当接部９０を有している。上述の組立体はかくして、壁４３が物質に対する接近を阻止する閉鎖位置とユーザが塗布要素３１により開口部２２を通って物質Ｐを取り出すことができる開放位置との間でケース２０に対して自由に回転することができる。
【００５１】
器具１０を製造するには以下のように行うのがよい。
ケース２０、アプリケータ３０、容器４０及び伝達部材５０がすでに作られているものと仮定する。
【００５２】
伝達部材５０を開口部２１ｂに通してケース２０の内部に取り付け、アプリケータ３０をケース２０に螺着させる。その結果得られた組立体を容器４０の組立てのための支柱に装着するのがよく、物質Ｐは直接又はカップ（図示せず）を用いて容器内にすでに入れられている。
【００５３】
物質Ｐの入った容器４０を開口部２１ｂを介してケース２０内に挿入し、歯６１が凹部６４にスナップ嵌合する。仕切り６６と壁６９のフェース６８との協働により、伝達部材５０に対する容器６０の正しい角度の位置決めが容易になる。容器４０がケース２０内の定位置にあるとき、伝達部材５０を容器４０の壁４３が側開口部２２を閉じるようにケース２０に対して位置決めする。
【００５４】
器具１０を用いるため、ユーザはアプリケータをねじ戻し、それにより壁４３をケース２０の壁と完全に重なり合うようにする。塗布要素をケースの軸線に垂直に物質と接触状態で前後に動かして側開口部２２を通過させることにより物質Ｐを取り出すことができる。
【００５５】
図５〜図８を参照して器具１００について以下に説明する。この器具は、器具１０の要素と同一の幾つかの要素を有しており、これら要素には図中、同一の参照符号が付けられている。
【００５６】
図１〜図４の実施形態の場合と同様、伝達部材１５０は、ケース２０の長さのほんの一部しか占めず、ケース２０の長さの残部は、図５〜図８に示す変形例では容器４０によって占められ、伝達部材１５０は、ケース２０の実質的に全長にわたって延び、容器１４０を受け入れることができるハウジング１５１を構成している。容器１４０は、物質Ｐを収容したハウジングを構成する壁１４３を有し、この壁は、軸線Ｘを中心として円筒形である。開口部１４１が、容器のハウジング内に入れられた物質Ｐへの接近を可能にし、このハウジングは、仕切り１４５，１４６によって軸方向に構成されている。仕切り１４６は、容器がケース２０内の定位置にあるとき、材料ブリッジ１４８により壁１４３に連結された仕切り１４７によって外部から分離される。当接部１４９は、ケースの当接部９０と協働するよう一体ブリッジ１４８に設けられている。
【００５７】
容器１４０は、上述の壁６９と同一の機能を果たす壁１６９を有し、この壁は、Ｖ字形溝を構成する２つのフェース１６８を備えている。容器１４０は、容器１４０を上述したタブ６１と同一の仕方で伝達部材１５０に固定できるようにする２つのタブ１６１を更に有している。
【００５８】
伝達部材１５０は、上述の伝達部材５０の場合と実質的に同一の第１の部分１５０ａ及び第１の部分と一線をなして延びていて、容器１４０を受け入れるハウジング１５１を構成する第２の部分１５０ｂを有している。第２の部分１５０ｂは、側開口部１９１を備えた壁１９０を有している。壁１９０は、軸線Ｘを中心とした円筒形であって、容器１４０内に入れられている物質Ｐへの接近を阻止するシャッタとして役立つことができる。
【００５９】
器具１００を製造するため、ケース２０、アプリケータ３０、容器１４０及び伝達部材１５０をまず最初に作る。
伝達部材１５０を舌部７２の歯７３が肩７５にスナップ留めされるまで開口部２１ｂを通ってケース２０に挿入する。次に、アプリケータ３０をケース２０上の定位置に配置し、スタッド８１は、スロット７０に嵌まってねじ部８０と協働する。
アプリケータ３０をいったんケース２０内の定位置にねじ込むと、伝達部材１５０の壁１９０は、側開口部２２の後の位置を占め、ケース２０を閉鎖する。
【００６０】
その結果得られた組立体をこの形態で容器１４０を定位置に配置するステーションまで運ぶのがよく、この容器は物質を壁１４３及び仕切り１４５，１４６で構成される容器のハウジング内へ直接流し込み、又は物質Ｐを収容したカップをこのハウジング内の定位置に配置することにより物質Ｐですでに満たされている。
【００６１】
容器１４０をケース２０の開口部２１ｂを介して伝達部材１５０内へ軸方向に挿入し、ついにはタブ１６１が凹部６４にスナップ嵌合するようにする。仕切り１４６は、伝達部材１５０の端壁に軸方向に当接する。仕切り１４５は、円形の自由縁部を有し、この仕切りは、壁１６９を収容したケースの内部空間への接近を阻止する。仕切り１４６は、輪郭が円形の自由縁部を更に有し、この仕切りは、壁１９０にぴったりと嵌まり込む。
【００６２】
上述の実施形態の全てにおいて、塗布要素３１は、ブラシ以外の要素であってよく、特に、この塗布要素は、図９に示すようにフロック加工されたエンドピースから成っていてもよく、或いは図１０に示すようなエラストマー製のエンドピースから成っていてもよい。また、塗布要素をマスカラブラシ又は睫毛又は眉毛用の櫛で構成してもよい。
【００６３】
当然のことながら、本発明は、上述の実施形態には限定されない。特に、ケースには図示の形状以外の形状を与えることができる。アプリケータを螺合方式以外の方式でケースに固定してもよい。
【００６４】
容器は、複数の種類の物質を収容することができる。例えば、容器は、側開口部を通って同時に又は別々に接近可能な少なくとも２つのハウジング内に少なくとも２つの互いに異なる種類の物質を収容してもよい。
【図面の簡単な説明】
【図１】本発明の第１の実施形態としての塗布器具の分解斜視図である。
【図２】図１の器具の分解軸方向断面図である。
【図３】アプリケータがケース内の定位置にある状態の図１の器具の軸方向断面図である。
【図４】アプリケータ及びアプリケータを導入することができるケースの端部の部分軸方向断面図である。
【図５】本発明の別の実施形態としての塗布器具の分解斜視図である。
【図６】図５の器具の分解軸方向断面図である。
【図７】アプリケータとケースを図にした状態で示す軸方向断面図である。
【図８】アプリケータをケース内の定位置に配置した後の図５の器具を示す軸方向断面図である。
【図９】塗布要素の別の例を示す図である。
【図１０】塗布要素の別の例を示す図である。
【符号の説明】
１０  包装形容塗布器具
２０  ケース
２２  側開口部
３０  アプリケータ
４０  容器
４３  シャッタ形成部材
４５，４６，４７  仕切り
４９  当接部
５０，１５０ａ  運動伝達部材
６１  固定タブ
７０  スロット
７２  舌部
７５  肩
１５０ｂ  シャッタ
【図１】
0003914150.tif 000002
【図２】
0003914150.tif 000003
【図３】
0003914150.tif 000004
【図４】
0003914150.tif 000005
【図５】
0003914150.tif 000006
【図６】
0003914150.tif 000007
【図７】
0003914150.tif 000008
【図８】
0003914150.tif 000009
【図９】
0003914150.tif 000010
【図１０】
0003914150.tif 000011